(57)【要約】【課題】  紐が付いた札をブレーカのスイッチなどに容易かつ堅固に取り付けることを可能にする札取付具を提供する。【解決手段】  環状で、環内にスイッチ２０１を挿入することでスイッチ２０１に着脱自在に装着される本体２に、スイッチ２０１が挿入される方向と交わる方向に、操作禁止札１００の紐１０２を通すための貫通孔３、４が形成された札取付具１とする。紐１０２を本体２の貫通孔４、３に通し、本体２にスイッチ２０１を挿入することで、紐１０２が本体２とスイッチ２０１とで挟持され、操作禁止札１００がスイッチ２０１に取り付けられる。【選択図】  図１
2009116020.tif 000002
【特許請求の範囲】
【請求項１】
ブレーカのスイッチなどの棒状の操作レバーに、紐が付いた札を取り付けるための札取付具であって、
環状で、環内に前記操作レバーを挿入することで前記操作レバーに着脱自在に装着される本体に、
前記操作レバーが挿入される方向と交わる方向に、前記札の紐を通すための貫通孔が形成されていることを特徴とする札取付具。
【請求項２】
前記貫通孔は、前記本体の一辺から切欠き状に形成され、この切欠きの開口から前記札の紐が挿入可能となっていることを特徴とする請求項１に記載の札取付具。
【請求項３】
前記貫通孔の近傍に、前記本体の表面から突出し前記紐を係止するための係止部が設けられていることを特徴とする請求項１に記載の札取付具。
【請求項４】
前記操作レバーの基端部側に位置する枠と前記基端部との隙間に位置して、前記操作レバーの動きを抑止する抑止部が、前記本体の前記基端部側に設けられていることを特徴とする請求項１に記載の札取付具。
【発明の詳細な説明】
【技術分野】
【０００１】
この発明は、紐が付いた操作禁止札などの札をＮＦＢ（Ｎｏ  Ｆｕｓｅ  Ｂｒｅａｋｅｒ）のスイッチなどに取り付けるための札取付具に関する。
【背景技術】
【０００２】
例えば、発電所においては、定期的に設備の保修作業を行っている。この保修作業に際しては、人的保護、安全などの観点から、作業前に必ず電気的なロックを行っている。例えば、ブレーカのスイッチ（操作レバー）をオフにして電気を遮断している。そして、保修作業中に第三者が誤ってブレーカのスイッチをオンして電気的なロックを解除しないように、スイッチに操作禁止札を取り付けている。
【０００３】
この操作禁止札は、図７に示すように、板状の札本体１０１に、紐１０２が環状（輪っか状）に取り付けられ、札本体１０１に「操作禁止」などの注意書きが記されている。そして、ブレーカ２００の棒状のスイッチ２０１に紐１０２を巻き付けて、スイッチ２０１に操作禁止札１００を取り付けるものである。なお、送配電系統の保守点検等の作業を行う場合に、スイッチのオフ状態を確保し、誤作動を行わないよう作業の安全性を高めたブレーカが知られている（例えば、特許文献１参照。）。
【特許文献１】特開平０７−２１１２１６号公報
【発明の開示】
【発明が解決しようとする課題】
【０００４】
ところで、発電所の保修作業では、膨大な数の機器、設備が点検、保修の対象となり、すべての対象物に対して操作禁止札を取り付ける必要がある。しかしながら、上記のような取付方法では、スイッチ２０１に紐１０２を巻き付けなければならず、１つの操作禁止札１００ならばよいが、膨大な数の操作禁止札１００を取り付けるとなると、多大な労力と時間とを要する。さらに、スイッチ２０１に紐１０２を巻き付けただけで操作禁止札１００が取り付けられているため、振動や風力などによって操作禁止札１００がスイッチ２０１から外れるおそれがある。
【０００５】
そこでこの発明は、紐が付いた札をブレーカのスイッチなどに容易かつ堅固に取り付けることを可能にする札取付具を提供することを目的とする。
【課題を解決するための手段】
【０００６】
上記目的を達成するために請求項１に記載の発明は、ブレーカのスイッチなどの棒状の操作レバーに、紐が付いた札を取り付けるための札取付具であって、環状で、環内に前記操作レバーを挿入することで前記操作レバーに着脱自在に装着される本体に、前記操作レバーが挿入される方向と交わる方向に、前記札の紐を通すための貫通孔が形成されていることを特徴とする。
【０００７】
この発明によれば、札の紐を本体の貫通孔に通し、本体に操作レバーを挿入することで、札の紐が本体と操作レバーとで挟持され、札が操作レバーに取り付けられる。
【０００８】
請求項２に記載の発明は、請求項１に記載の札取付具において、前記貫通孔は、前記本体の一辺から切欠き状に形成され、この切欠きの開口から前記札の紐が挿入可能となっていることを特徴とする。
【０００９】
請求項３に記載の発明は、請求項１に記載の札取付具において、前記貫通孔の近傍に、前記本体の表面から突出し前記紐を係止するための係止部が設けられていることを特徴とする。
【００１０】
請求項４に記載の発明は、請求項１に記載の札取付具において、前記操作レバーの基端部側に位置する枠と前記基端部との隙間に位置して、前記操作レバーの動きを抑止する抑止部が、前記本体の前記基端部側に設けられていることを特徴とする。
【発明の効果】
【００１１】
請求項１に記載の発明によれば、札の紐が本体と操作レバーとで挟持された状態で札が操作レバーに取り付けられるため、振動や風力などによって札が操作レバーから外れるおそれがなく、札の取り付けが堅固になる。また、札の紐を本体の貫通孔に通し、本体に操作レバーを挿入するだけで、札を操作レバーに取り付けることができるため、取付作業が容易となり、多くの札を取り付ける場合であっても時間や労力が軽減される。
【００１２】
請求項２に記載の発明によれば、貫通孔が切欠き状で、この切欠きの開口から札の紐を挿入できるため、丸孔などの閉塞した孔に紐を通す場合に比べて、紐の通し（挿入）が容易となる。この結果、札の取付作業がさらに容易となる。
【００１３】
請求項３に記載の発明によれば、貫通孔の近傍に係止部が設けられているため、この係止部に札の紐を係止することで、紐の固定が強固になり、札の取り付けがさらに堅固になる。
【００１４】
請求項４に記載の発明によれば、本体に抑止部が設けられているため、本体を操作レバーに装着することで、抑止部によって操作レバーの動きが抑止され、操作レバーの誤作動を防止することができる。
【発明を実施するための最良の形態】
【００１５】
以下、この発明を図示の実施の形態に基づいて説明する。
【００１６】
（実施の形態１）
図１は、この実施の形態に係る札取付具１と、操作禁止札（札）１００と、スイッチ（操作レバー）２０１とを示す斜視図である。操作禁止札１００は、紙や樹脂などで構成された板状の札本体１０１に「操作禁止」などの注意書きが記され、札本体１０１の紐孔１０１ａに紐１０２が通され、紐１０２が環状（輪っか状）に形成されている。スイッチ２０１は、この実施の形態では、図２に示すようなＮＦＢ（ノーフューズブレーカ）２００のスイッチであり、断面が四角形の棒状で、スイッチ枠（枠）２０２から前方に突出するように配設されている。すなわち、スイッチ枠２０２はスイッチ２０１の基端部２０１ａ側に位置し、スイッチ２０１の可動範囲を囲うように配設されている。ここで、図２はスイッチ２０１がスイッチ枠２０２の下側に位置したオフ状態を示し、スイッチ２０１がスイッチ枠２０２の上側に位置するとオン状態となる。
【００１７】
札取付具１は、このようなスイッチ２０１に操作禁止札１００を取り付けるための補助具であり、環状の本体２に貫通孔３、４が形成されている。すなわち、本体２は弾性が高いゴム製で、内外形が四角い環状に形成されている。環内の幅Ｗ１はスイッチ２０１の幅Ｗ２と同寸法または幅Ｗ２よりもやや小さく設定され、環内の高さＨ１はスイッチ２０１の高さＨ２と同寸法または高さＨ２よりもやや小さく設定されている。そして、本体２の環内にスイッチ２０１を挿入（圧入）することで札取付具１（本体２）がスイッチ２０１に装着され、本体２をスイッチ２０１から引き抜くことで札取付具１がスイッチ２０１から外されるように（着脱自在に）なっている。ここで、ある程度大きさが異なるスイッチ２０１に装着できるように、本体２の材質（伸縮性）、大きさ（幅Ｗ１、高さＨ１、厚み）が設定されている。
【００１８】
このような本体２に、スイッチ２０１が挿入される方向（環の軸方向）と交わる方向に、２つの貫通孔３、４が形成されている。すなわち、本体２の上壁２ａに第１の貫通孔３が形成され、本体２の下壁２ｂに第２の貫通孔４が形成され、第１の貫通孔３と第２の貫通孔４の径は、操作禁止札１００の紐１０２を通せる十分な大きさに設定されている。さらに、第１の貫通孔３と第２の貫通孔４とは同心上に形成され、２つの貫通孔３、４を結ぶ線が、本体２の環の軸方向とほぼ直交するようになっている。
【００１９】
次に、このような構成の札取付具１の作用および、札取付具１による操作禁止札１００の取付方法について説明する。
【００２０】
まず、図１に示すように、操作禁止札１００の紐１０２を、本体２の第２の貫通孔４、第１の貫通孔３の順に（図中Ｓ１方向に）貫通孔４、３に通し、紐１０２の上部を本体２の上壁２ａから突出させる。この状態で、本体２の環内にスイッチ２０１を（図中Ｓ２方向に）挿入する。これにより、図２に示すように、紐１０２が本体２の内周面とスイッチ２０１とで挟持され、札取付具１を介して操作禁止札１００がスイッチ２０１に取り付けられる。
【００２１】
以上のように、この札取付具１によれば、操作禁止札１００の紐１０２が本体２とスイッチ２０１とで挟持された状態で、操作禁止札１００がスイッチ２０１に取り付けられるため、振動や風力などによって操作禁止札１００がスイッチ２０１から外れるおそれがなく、操作禁止札１００の取り付けが堅固になる。また、紐１０２を本体２の貫通孔４、３に通し、本体２にスイッチ２０１を挿入するだけで、操作禁止札１００をスイッチ２０１に取り付けることができるため、取付作業が容易となり、多くの操作禁止札１００を取り付ける場合であっても時間や労力が軽減される。
【００２２】
（実施の形態２）
図３は、この実施の形態に係る札取付具１１を示す斜視図であり、実施の形態１と同等の構成または相当する構成については、同一符号を付して説明する。
【００２３】
本体２は、内外形が四角い環状で、上壁２ａに第１の貫通孔３が形成され、下壁２ｂに第２の貫通孔４が形成されている。第１の貫通孔３と第２の貫通孔４とは同形状で、同軸上に重なるように形成され、第１の貫通孔３を例に説明すると、上壁２ａの開放側（本体２の開口側）の一辺から切欠いたスリット状に形成されている。そして、貫通孔３、４の切欠きの開口から、操作禁止札１００の紐１０２を同時に貫通孔３、４内に出し入れできるように（挿入可能に）なっている。
【００２４】
さらに、第１の貫通孔３の端部（上壁２ａの中央側）に隣接して、上壁２ａの表面から突出する係止部５が形成されている。この係止部５の高さは、環状の紐１０２を十分に係止できる（引っ掛けられる）ように設定されている。
【００２５】
このような札取付具１１によって操作禁止札１００をスイッチ２０１に取り付けるには、まず、操作禁止札１００の紐１０２を貫通孔３、４の切欠きの開口から貫通孔３、４内に挿入し、紐１０２を係止部５に係止する。そして、本体２の環内にスイッチ２０１を貫通孔３、４の開口側（図中Ｓ３方向）から挿入する。これにより、紐１０２が係止部５に係止され、かつ本体２とスイッチ２０１とで挟持された状態で、札取付具１１を介して操作禁止札１００がスイッチ２０１に取り付けられる。
【００２６】
このような構成の札取付具１１によれば、貫通孔３、４の切欠きの開口から紐１０２を同時に貫通孔３、４内に挿入できるため、実施の形態１のように紐１０２を順次貫通孔４、３に挿入する場合に比べて、紐１０２の挿入が容易となる。この結果、操作禁止札１００の取付作業をさらに容易、迅速に行える。また、係止部５に紐１０２を係止することで、本体２にスイッチ２０１を挿入する際に紐１０２が貫通孔３、４から抜けることが防止され、しかも紐１０２の固定が強固になり、操作禁止札１００の取り付けがさらに堅固になる。
【００２７】
（実施の形態３）
図４、５は、この実施の形態に係る札取付具２１を示す斜視図であり、実施の形態１と同等の構成または相当する構成については、同一符号を付して説明する。
【００２８】
本体２は、内外形が四角い環状（管状）で、環内にスイッチ２０１を挿入した状態でスイッチ２０１の基端部２０１ａ側に位置する端部に、抑止部６が形成されている。この抑止部６は、本体２をスイッチ２０１に装着した状態で、スイッチ枠２０２とスイッチ２０１の基端部２０１ａとの隙間Ａに位置（嵌合）し、図５に示すように、スイッチ２０１が隙間Ａ側に動かないように、スイッチ２０１の動きを抑止するようになっている。
【００２９】
このような構成の札取付具２１によれば、本体２に抑止部６が設けられているため、本体２をスイッチ２０１に装着することで、抑止部６によってスイッチ２０１の動きが抑止される。このため、スイッチ２０１の誤作動を物理的にも防止することが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、スイッチ２０１を本体２に挿入、貫通できるようになっているが、図６に示すように、本体２に一方の開口を塞ぐ端部壁７を設け、キャップ状の札取付具３１としてもよい。また、実施の形態２では、上壁２ａおよび下壁２ｂの開放側の一辺から切欠き状に貫通孔３、４を形成しているが、他の一辺から切欠き状に貫通孔３、４を形成してもよい。さらに、操作レバーがＮＦＢ２００のスイッチ２０１の場合について説明したが、その他の操作レバーにも適用できることは勿論である。
【図面の簡単な説明】
【００３１】
【図１】この発明の実施の形態１に係る札取付具と、操作禁止札とスイッチとを示す斜視図である。
【図２】図１の札取付具を用いてスイッチに操作禁止札を取り付けた状態を示す斜視図である。
【図３】この発明の実施の形態２に係る札取付具を示す斜視図である。
【図４】この発明の実施の形態３に係る札取付具とスイッチとを示す斜視図である。
【図５】図４の札取付具を用いてスイッチに操作禁止札を取り付けた状態を示す斜視図である。
【図６】図２の札取付具の変形例を示す斜視図である。
【図７】従来の方法でスイッチに操作禁止札を取り付けた状態を示す斜視図である。
【符号の説明】
【００３２】
１        札取付具
２        本体
３、４    貫通孔
５        係止部
６        抑止部
１１      札取付具
２１      札取付具
３１      札取付具
１００    操作禁止札（札）
１０１    札本体
１０２    紐
２００    ＮＦＢ
２０１    スイッチ（操作レバー）
２０２    スイッチ枠（枠）
【図１】
2009116020.tif 000003
【図２】
2009116020.tif 000004
【図３】
2009116020.tif 000005
【図４】
2009116020.tif 000006
【図５】
2009116020.tif 000007
【図６】
2009116020.tif 000008
【図７】
2009116020.tif 000009